(57)【要約】【課題】表示画面に文字入力を行う際に、小面積の操作領域で装置を大型化することなく、簡単な操作で確実に文字入力を行うことができるようにする。【解決手段】文字入力開始エリア判定部１４が、タッチパッド２１に対して最初にタッチする操作がタッチパッド２１上に予め定めた所定領域に対する操作であると判定した場合、ソフトキーボード制御部１５は、所定領域に予め関連付けられているキーボードの一部を表示部１１に表示させ、タッチパッド２１に対する操作情報に従ってキーボードのキーに対応付けられた操作を実行する。そしてカーソル制御１２部は、一部のキーボードを表示させた際、タッチパッド２１のタッチ面の全領域と一部のキーボードの表示領域とを対応させて、タッチパッド２１に対する操作位置に応じて一部のキーボードの表示領域内でカーソルを表示させる。【選択図】図１
2013131087.tif 000002
【特許請求の範囲】
【請求項１】
表示部と、該表示部の表示を操作するためのタッチパッドを備えた操作部と、前記タッチパッドに対する操作に応じた操作情報に基づいて制御を行う制御部とを有し、
該制御部は、前記タッチパッドに対して最初にタッチする操作が、前記タッチパッド上に予め定めた所定領域に対する操作であると判定した場合、前記所定領域に予め関連付けられているキーボードの一部を前記表示部に表示させ、前記操作情報に従ってキーボードのキーに対応付けられた操作を実行することを特徴とする表示装置。
【請求項２】
請求項１に記載の表示装置において、
前記制御部は、前記キーボードの一部を表示させた際、前記タッチパッドのタッチ面の全領域と前記キーボードの一部の表示領域とを対応させて、前記タッチパッドに対する操作位置に応じて前記キーボードの一部の表示領域内でカーソルを表示させることを特徴とする表示装置。
【請求項３】
請求項１または２に記載の表示装置において、
前記所定領域は、一つのキー配列をもつキーボードの異なる一部分がそれぞれ関連付けられた複数の所定領域のセットからなることを特徴とする表示装置。
【請求項４】
請求項３に記載の表示装置において、
前記制御部は、前記所定領域のセットとして、２つの所定領域が設定され、前記タッチパッド上で左側に設定された所定領域が操作された場合には、前記キーボードの左側の端部を含む該キーボードの一部を表示し、前記タッチパッド上で右側に設定された所定領域が操作された場合には、前記キーボードの右側端部を含む該キーボードの一部を表示することを特徴とする表示装置。
【請求項５】
請求項３または４に記載の表示装置において、
前記所定領域からなるセットが複数設定され、前記所定領域が操作された場合に表示するキーボードは、各前記セットごとに異なることを特徴とする表示装置。
【請求項６】
請求項１〜５のいずれか１に記載の表示装置において、
前記制御部は、前記タッチパッドにキーボード表示を変化させるための特別の領域を設定し、
前記タッチパッドに対する最初のタッチが行われた際に、前記タッチされた所定の領域に予め関連付けられているキーボードの一部を前記表示部に表示させた後、前記タッチパッドに対するタッチが継続した状態で前記タッチされた位置が前記特別の領域まで移動した際に、前記最初にタッチされた所定領域とは異なる所定領域に関連付けられているキーボードの一部を前記表示部に表示させることを特徴とする表示装置。
【請求項７】
請求項１〜６のいずれか１に記載の表示装置において、
前記タッチパッドは、タッチ面となる外層部と、該外層部に対するタッチ位置を検出するタッチセンサとが積層された構成を有し、前記タッチセンサは、前記外層部のタッチ面よりも狭い範囲を検出する大きさで構成され、前記所定領域は、前記タッチセンサの端部の所定位置に設定されていることを特徴とする表示装置。
【請求項８】
請求項３に記載の表示装置において、
前記所定領域は、矩形の前記タッチパッドの左下角部と右上角部、または前記タッチパッドの左上角部と右下角部に設定されることを特徴とする表示装置。
【発明の詳細な説明】
【技術分野】
【０００１】
本発明は、表示装置、より詳細には、タッチパッドを備えた操作部を使用して表示部の表示を操作する表示装置に関する。
【背景技術】
【０００２】
テレビ受像機などの表示装置では、所定の操作入力手段に対するユーザ操作に応じて、ユーザ任意の文字等を表示画面に表示させることができる。このような文字等の入力表示の手段としては、例えば、パソコン用のキーボードを表示装置本体に接続して、ユーザ操作により入力するものがある。あるいは、リモコンに備えられたテンキーを使用して、携帯電話等の文字入力と同様に、同じキーを複数回操作することで所定の文字を入力できるようにしたものもある。
【０００３】
また、表示装置の表示画面上にキーボードを表示するソフトウェアキーボードを使用して、そのソフトウェアキーボードを使用してユーザ操作による入力を行うようにしたものがある。この場合、リモコン上に用意された上下左右のカーソルキーを使用して、表示画面に表示させたソフトウェアキーボードから所定のキーを選択し、リモコンの決定キーを押すことで文字入力を行うことができる。また、画面上のソフトウェアキーボードのキーをマウスカーソルのようなフリーカーソルで選択することもできる。この場合、タッチパッドを使用し、タッチパッドに対する操作によってカーソル操作を行うことができるようにしたものもある。
【０００４】
このような文字入力の技術に関して、例えば特許文献１には、キーボードを持たないテレビジョン受像装置等において、リモートコントロール装置を使い、効率的に文字入力を行うための文字入力方法が開示されている。この文字入力方法は、入力文字を複数の文字グループに分類し、テレビジョン受像装置等に表示する文字入力画面を第１階層文字表示画面と第２階層表示画面群に分ける。そして第１階層文字表示画面には各々の文字グループの代表文字入力ボタン群を表示し、第２階文字層表示画面には文字グループ毎の文字入力ボタン群を表示する。そしてリモートコントロール装置にタッチパッドを設け、タッチパッドをなぞる指の軌跡を用いて、第１階層文字表示画面内の入力ボタンの選択、第２階層文字表示画面の表示および入力ボタンの選択を行い、さらに、タッチパッドから指を離したタイミングで選択されている文字を入力するようにしている。
【先行技術文献】
【特許文献】
【０００５】
【特許文献１】特開２０１１−５３８５３号公報
【発明の概要】
【発明が解決しようとする課題】
【０００６】
上記のように、表示部の表示画面に文字等を入力する手段としては種々のものが知られているが、ソフトウェアキーボードを使用して上下左右のカーソルキーにより操作を行うものは、通常、カーソルを所望の位置に移動させるのに時間がかかり操作が煩雑である。また、マウスカーソルのようなフリーカーソルでキーを選択して入力する場合、相対座標でマウスカーソルを動作させることになり、素早く文字を入力することは難しい。
【０００７】
また、タッチパッドを使用することで、感覚的に文字等を入力することができるが、タッチパッドにある程度の大きさが必要であるため、タッチパッドをリモコンに搭載する場合、リモコン自体が大きくなってしまい、小型化・コンパクト化の要請に反する。逆にタッチパッドを小さくしてしまうと、人の指でタッチパッドをなぞる際に微妙な操作が必要になり、操作性が悪くなるという問題が生じる。
【０００８】
また、特許文献１の文字入力方法のように、画面上に第１階層のテンキーを表示させ、その中から１つのキーを選択させた後、スマートフォンのようにテンキー上の２階層目のキーを表示させて所望の文字を入力させる方法もある。しかしながら、この場合には、所望のキーを選択するために２回のキー操作が必要になり繁雑である。また、この文字入力方法では、ソフトキーボードを表示させるために画面上のボタンを操作したり、リモコン上のボタンを操作して文字入力モードへ切り替える必要があり煩雑である。
【０００９】
本発明は、上述のごとき実情に鑑みてなされたものであり、表示画面に文字入力を行う際に、小面積の操作領域で装置を大型化することなく、簡単な操作で確実に文字入力を行うことができるようにした表示装置を提供することを目的とする。  
【課題を解決するための手段】
【００１０】
上記課題を解決するために、本発明に第１の技術手段は、表示部と、該表示部の表示を操作するためのタッチパッドを備えた操作部と、前記タッチパッドに対する操作に応じた操作情報に基づいて制御を行う制御部とを有し、該制御部は、前記タッチパッドに対して最初にタッチする操作が、前記タッチパッド上に予め定めた所定領域に対する操作であると判定した場合、前記所定領域に予め関連付けられているキーボードの一部を前記表示部に表示させ、前記操作情報に従ってキーボードのキーに対応付けられた操作を実行することを特徴としたものである。
【００１１】
第２の技術手段は、第１の技術手段において、前記制御部は、前記キーボードの一部を表示させた際、前記タッチパッドのタッチ面の全領域と前記キーボードの一部の表示領域とを対応させて、前記タッチパッドに対する操作位置に応じて前記キーボードの一部の表示領域内でカーソルを表示させることを特徴としたものである。
【００１２】
第３の技術手段は、第１または２の技術手段において、前記所定領域は、一つのキー配列をもつキーボードの異なる一部分がそれぞれ関連付けられた複数の所定領域のセットからなることを特徴としたものである。
【００１３】
第４の技術手段は、第３の技術手段において、前記制御部は、前記所定領域のセットとして、２つの所定領域が設定され、前記タッチパッド上で左側に設定された所定領域が操作された場合には、前記キーボードの左側の端部を含む該キーボードの一部を表示し、前記タッチパッド上で右側に設定された所定領域が操作された場合には、前記キーボードの右側端部を含む該キーボードの一部を表示することを特徴としたものである。
【００１４】
第５の技術手段は、第３または４の技術手段において、前記所定領域からなるセットが複数設定され、前記所定領域が操作された場合に表示するキーボードは、各前記セットごとに異なることを特徴としたものである。
【００１５】
第６の技術手段は、第１〜５のいずれか１の技術手段において、前記制御部は、前記タッチパッドにキーボード表示を変化させるための特別の領域を設定し、前記タッチパッドに対する最初のタッチが行われた際に、前記タッチされた所定の領域に予め関連付けられているキーボードの一部を前記表示部に表示させた後、前記タッチパッドに対するタッチが継続した状態で前記タッチされた位置が前記特別の領域まで移動した際に、前記最初にタッチされた所定領域とは異なる所定領域に関連付けられているキーボードの一部を前記表示部に表示させることを特徴としたものである。
【００１６】
第７の技術手段は、第１〜６のいずれか１の技術手段において、前記タッチパッドは、タッチ面となる外層部と、該外層部に対するタッチ位置を検出するタッチセンサとが積層された構成を有し、前記タッチセンサは、前記外層部のタッチ面よりも狭い範囲を検出する大きさで構成され、前記所定領域は、前記タッチセンサの端部の所定位置に設定されていることを特徴としたものである。
【００１７】
第８の技術手段は、第３の技術手段において、前記所定領域は、矩形の前記タッチパッドの左下角部と右上角部、または前記タッチパッドの左上角部と右下角部に設定されることを特徴としたものである。
【発明の効果】
【００１８】
本発明によれば、表示画面に文字入力を行う際に、小面積の操作領域で装置を大型化することなく、簡単な操作で確実に文字入力を行うことができるようにした表示装置を提供することができる。
【図面の簡単な説明】
【００１９】
【図１】本発明に係る表示装置の一実施形態を示すブロック図である。
【図２】タッチパッド上の指の操作状態と表示画面との対応について説明する図である。
【図３】タッチパッド上の所定の文字入力開始エリアが操作されたときの状態を説明する図である。
【図４】タッチパッドで指を移動させた場合のマウスカーソルの表示例を説明する図である。
【図５】本発明による表示装置におけるキーボードの表示制御の処理例を示すフローチャートである。
【図６】本発明による表示装置におけるタッチパッドを用いた制御処理例を説明する図である。
【図７】本発明による表示装置におけるタッチパッドを用いた制御処理の他の例を説明する図である。
【図８】文字入力開始エリアの他の設定例とそのときの動作例を説明するための図である。
【図９】タッチパッドにおける文字入力開始エリアの更に他の設定例を説明するための図である。
【図１０】タッチパッドに対するキーボードの表示の他の例を説明する図である。
【図１１】本発明の表示装置に適用するタッチパッドの他の構成例を説明する図である。
【発明を実施するための形態】
【００２０】
図１は、本発明に係る表示装置の一実施形態を示すブロック図である。表示装置１は、表示装置本体１０とリモコン２０とからなっている。リモコン２０は、表示装置本体１０を操作するためのもので本発明の操作部に相当するものである。
表示装置本体１０は、表示部１１、カーソル制御部１２、ソフトキーボード座標変換部１３、文字入力開始エリア判定部１４、ソフトキーボード制御部１５、及び受信部１６を有する。表示装置本体１０は、リモコン２０のタッチパッド２１に対する操作に応じた操作情報に応じた制御を行う本発明の制御部を有している。この制御部は、図１の文字入力開始エリア判定部１４、ソフトキーボード制御部１５、ソフトキーボード座標変換部１３、及びカーソル制御部１２が該当し、これらの機能によって実現される。
【００２１】
受信部１６は、リモコン２０から送信されたリモコン信号を受信する。リモコン信号には、リモコン２０のタッチパッド２１に対するタッチ位置の座標情報が含まれている。文字入力開始エリア判定部１４は、受信部１６が受信したリモコン信号を解析し、リモコン信号に含まれる座標情報が、タッチパッド２１内に設定された複数の文字入力開始エリアのうちいずれかを指定しているか判定する。文字入力開始エリアは、本発明の所定領域に相当するものである。
【００２２】
ソフトキーボード制御部１５は、文字入力開始エリア判定部１４により、リモコン２０から送信された座標情報が所定の文字入力開始エリアを指定していると判定したときに、予め用意されているソフトキーボードの画面を生成し、表示部１１に表示させる制御を行う。この場合、ユーザがタッチした文字入力開始エリアに応じて、ソフトキーボード全体のうちの一部を表示させる。複数の文字入力開始エリアごとにそのキーボードの一部の範囲が異なっている。また、ソフトキーボード制御部１５は、ユーザがタッチパッド２１から指等を離したときのソフトキーボード上のカーソル位置に応じて、カーソル位置のキーに対応付けられている文字等（文字や所定の図形、数字等）を表示部１１に表示させる。
【００２３】
ソフトキーボード座標変換部１３は、受信部１６で受信されたリモコン信号に含まれる座標情報をソフトキーボード上の座標系の座標情報に変換する。カーソル制御部１２は、ソフトキーボード制御部１５が変換した座標情報に従って、表示部１１に表示されているソフトキーボード上にマウスカーソルを表示させる制御を行う。
【００２４】
リモコン２０は、タッチパッド２１、タッチ座標検知部２２、キー２３、キー検知部２４、及び送信部２５を備えている。
タッチパッド２１は、平板状のセンサを指でなぞることでマウスカーソル等のポインタの操作をすることができるポインティングデバイスである。タッチパッド２１は、平板状のタッチセンサと人の指とで構成されるコンデンサが、タッチセンサ表面のどの位置に存在するかを微弱な静電容量の変化として検出し、検出信号を出力する。
【００２５】
タッチ座標検知部２２は、タッチパッド２１から出力されたタッチセンサの検出信号に従って、タッチセンサの表面の指の位置に応じた座標情報を生成する。この座標情報は、タッチパッド２１の位置に応じて予め設定されている絶対座標情報、もしくは最初のタッチ位置を基点とした移動量を示す相対座標情報である。
【００２６】
キー２３は、リモコンに備えられたテンキーや各種機能ボタンなどの操作キーである。キー検知部２４は、キー２３のユーザ操作を検知する。
送信部２５は、タッチ座標検知部２２が生成した絶対座標情報、及びキー検知部２４が検知したキー操作情報をリモコン信号として送信する。リモコン信号は、一般的には、パルス位置変調（Pulse Position Modulation：PPM）方式により表現された赤外線信号であり、表示装置本体１０の受信部１６で受信されることにより、送信側から送信したリモコン信号の内容が解釈できるようになっている。本発明ではリモコン信号の送受信方式は限定されない。
【００２７】
なお、タッチパッド２１の操作位置が所定の文字入力開始エリアにあるか否かを判定する文字入力開始エリア判定部１４をリモコン２０側に設け、タッチパッド２１上の操作位置が所定の文字入力開始エリア内か否かを示す信号を表示部本体１１０側に送信するようにしてもよい。表示部本体１０では、送信された信号に従って、ソフトキーボードの表示やカーソル表示等の制御を行うようにすることができる。
また、表示装置１は、タッチパッド２１等の操作部の構成要素を表示装置本体１０に内蔵して、操作部と表示部を一体化したものとして構成してもよい。
【００２８】
また、表示装置１は、例えばテレビ受像機として構成することができる。表示装置１をテレビ受像機として構成する場合、テレビ受像機は、アンテナで受信した放送信号を選局して復調し、復号して再生用映像・音声信号を生成する手段と、再生用映像信号に適宜所定の画像処理を施して表示部１１に表示させ、音声信号をスピーカから出力させる手段（いずれも図示せず）とを有する。
【００２９】
図２は、タッチパッド上の指の操作状態と表示画面との対応について説明する図である。表示装置１は、タッチパッド２１上で所定の文字入力開始エリアに指等がタッチされていない場合には、通常のマウスカーソル表示処理を実行する。通常のマウスカーソル処理は、従来知られている処理と同様のもので、例えば、図２（Ａ）に示すように、タッチパッド２１上で指３２等により行われるタッチ操作を、表示部１１の表示画面に反映させる。この場合、図２（Ｂ）に示すように、表示装置本体１０では、タッチパッド２１で検出され、リモコン２０から送信されたタッチパッド２１の座標情報に従ってマウスカーソル３１の表示を制御することができる。つまり表示部１１では、タッチパッド２１の指のタッチ位置に相当する位置にマウスカーソル３１を表示させ、タッチパッド２１上で指３２を滑らせる動作に応じて、マウスカーソル３１の表示状態を変化させる。
【００３０】
図３は、タッチパッド上の所定の文字入力開始エリアが操作されたときの状態を説明する図である。タッチパッド２１には、予め所定の文字入力開始エリアを設定しておく。例えば図３（Ａ）に示すように、タッチパッドの右下と左下に所定の形状と大きさを持った文字入力開始エリア３４ａ，３４ｂを設定する。文字入力開始エリアがあることは印刷などにより明示的に表示することができるが、その表示がなくてもよい。この場合、ユーザが文字入力開始エリアの位置を知っていれば操作が可能である。
【００３１】
リモコン２０のタッチ座標検知部２２では、ユーザの指３２によるタッチ位置に応じた座標情報を生成し、送信部２５を介して表示部本体１０に送信する。
表示装置本体１０の文字入力開始エリア判定部１４では、送信されたタッチパッドの座標情報に基づいて、タッチパッド２１上の所定の文字入力開始エリア３４ａ，３４ｂのいずれかがタッチされているか否かを判定する。そして文字入力開始エリア３４ｂ，３４ａのいずれかがタッチされていると判定された場合、ソフトキーボード制御部１５は、そのタッチされたエリアに応じて、予め用意されているキーボードの一部を表示部１１に表示させる。
【００３２】
例えば、図３（Ａ）に示すように、タッチパッド２１の左下に設定されている文字入力開始エリア３４ａを指３２によりタッチしたものとする。この場合、図３（Ｂ）に示すように、表示装置本体１０では、キーボード全体ではなくキーボード全体の一部３３を表示させる。キーボードの一部３３を表示させることにより、例えば表示部１１にコンテンツ等を表示しているときに、キーボードによってそのコンテンツ等が隠される領域を小さくすることができる。
【００３３】
キーボードの一部３３は、例えばキーボード全体の左側端部を含む一部とする。左側端部を含む一部は、キーボード全体の左半分とすることができる。
一方、タッチパッド２１の右下に設定されている文字入力開始エリア３４ｂを指３２によりタッチした場合にも、表示装置本体１０では、キーボード全体の一部を表示させるが、この場合には、この場合には、キーボード全体の右側端部を含む一部（例えば右半分）が表示される。これにより、左右２つの文字入力開始エリア３４ａ，３４ｂのそれぞれに左側端部を含む一部領域と、右側端部を含む一部領域を対応付けることができる。このとき、２つの文字入力開始エリア３４ａ，３４ｂに表示させるキーボードの一部が互いに部分的に重複したものであってもよい。
【００３４】
上記のように、２つの文字入力エリア３４ａ、３４ｂは、一つのキー配列をもつキーボードの異なる一部分がそれぞれ関連付けられたセットとして構成されている。
１つのキーボードに関連付けられる文字入力エリアの数は、上記のような２つに限定されず、例えば３つ以上であってもよい。
【００３５】
そしてその上で、タッチパッド２１の全領域と、ソフトキーボードの一部３３の領域とを対応させてマウスカーソル３１を移動させるようにする。図４はこのときの対応付けの状態を説明する図である。
タッチパッド２１の左下の文字入力開始エリア３４ａにタッチした指３２を移動させると、その移動に応じて表示部１１マウスカーソル３１が移動するが、例えば図４（Ａ）に示すように、タッチパッド２１の左下端部から右上端部まで指３２を移動させた場合、図４（Ｂ）に示すように、キーボードの一部３３の左下端部から右上端部までマウスカーソル３１が移動する。つまり、タッチパッド２１の全領域とソフトウェアキーボードの一部３３の表示領域とが対応付けられる。
【００３６】
また、タッチパッド２１の右下に設定されている文字入力開始エリア３４ｂにタッチした場合に表示されるキーボード全体の一部に対しても、同様にタッチパッド２１の全領域とキーボードの右側端部を含む一部の表示領域とが対応付けられる。これにより、左右２つの文字入力開始エリア３４ａ，３４ｂのそれぞれに左側端部を含む一部領域と、右側端部を含む一部領域を対応付けることができる。
【００３７】
上記のような制御により、ソフトキーボード上のキー間隔に対応するタッチパッド２１上の長さが、キーボード全体を表示したときよりも長くなる。これによりタッチパッドによるキー操作が行いやすくなり、例えば誤って所望のキーの隣のキーを操作してしまうような誤操作を防ぐことができるようになる。
リモコンのような片手操作する機器は、面積の大きいタッチパッドを備えることができないが、上記の構成により、比較的面積の小さいタッチパッドであっても操作性を損なうことなく、簡単な操作で確実に文字入力ができるようになる。また、文字入力モードへ切り替えるためにリモコンや画面上に切換えボタンを用意する必要がなくなる。
【００３８】
図５は、本発明による表示装置におけるキーボードの表示制御の処理例を示すフローチャートである。ここでは図１の構成を参照しながら説明する。
まず、表示装置本体１０の受信部１６がリモコン２０から送信された座標情報を受信すると（ステップＳ１）、文字入力開始エリア判定部１４は、タッチパッド２１上の所定の文字入力開始エリアにタッチされたか否かを判定する（ステップＳ２）。ここでは文字入力開始エリアは、図３に示すようにタッチパッド２１の左下角と右下角の２カ所に設けられているものとする。
【００３９】
文字入力開始エリアではない領域にタッチされていると判定した場合（ステップＳ２−Ｎｏ）、カーソル制御部１２では通常のカーソル表示処理を行う（ステップＳ９）。ここでは、ソフトキーボードを表示することなく、タッチパッド２１の操作に応じて表示部１１に表示させたマウスカーソルの動作を制御する。
【００４０】
一方、タッチパッド２１のいずれかの文字入力開始エリアにタッチされていると判定した場合（ステップＳ２−Ｙｅｓ）、ソフトキーボード制御部１５は、２カ所の文字入力開始エリアのうちタッチされた側の文字入力開始エリアに対応するキーボードを表示部１１に表示させる（ステップＳ３）。例えば、タッチパッド２１の左下角の文字入力開始エリアにタッチされた場合には、キーボード全体のうちの左側端部を含む一部（例えばキーボードの左半分）を表示させる。
【００４１】
そして、さらに表示部本体１０側でリモコン２０から座標情報を受信すると（ステップＳ４−Ｙｅｓ）、ソフトキーボード座標変換部１３では、受信した座標情報をキーボード上の座標系に変換する（ステップＳ１０）。カーソル制御部１２は、変換された座標情報に従ってキーボード上のマウスカーソルの位置を移動させる（ステップＳ１１）。
【００４２】
ステップＳ４で、リモコン２０から座標情報を受信しない場合（ステップＳ４−Ｎｏ）、文字入力開始エリア判定部１４では、リモコン２０からタッチパッドへのタッチが解除されたことを示すタッチ解除情報を受信したかどうかを判定する（ステップＳ５）。タッチ解除情報を受信していなければステップＳ４に戻る。また、タッチ解除情報を受信していれば、ソフトキーボード制御部１５は、マウスカーソルによって現在選択されているキーを入力文字データとして処理し（ステップＳ６）、ソフトキーボード表示を閉じる（ステップＳ７）。そしてリモコンからの座標情報の受信待ちの状態に戻る（ステップＳ８）。この後、座標情報が引き続いて受信された場合には、再度ステップＳ１からの処理を行う。
【００４３】
図６は、本発明による表示装置におけるタッチパッドを用いた制御処理例を説明する図で、タッチパッドの所定の文字入力開始エリアではない領域にユーザが最初にタッチしたときの処理例を説明するものである。
上記のように、表示装置１では、リモコン２０のタッチパッド２１の所定の文字入力開始エリアに最初にタッチすると、その文字入力開始エリアに応じて予め定められたキーボードの一部が表示される。これに対して、タッチパッド２１の文字入力開始エリア以外の領域にユーザが最初にタッチした場合には、通常のマウスカーソル表示処理が実行される。これは、従来からノートパソコン等で使用されるタッチパッドと同様の制御になる。
【００４４】
図６（Ａ）に示すように、ユーザの指３２により最初にタッチされたタッチパッド２１上の座標位置を（ｍＸ，ｍＹ）とする。その後、一定時間後に最初のタッチ位置から相対的に(ｄＸ，ｄＹ)の分だけ指３２が移動したものとする。この場合、タッチパッド２１を備えたリモコン２０から、相対的な移動量を示す（ｄＸ，ｄＹ）が表示装置本体１０に送信される。
【００４５】
図６（Ｂ）に示すように、表示部１１に現在表示している画面上のマウスカーソルの座標を（ｃＸ，ｃＹ）とするとき、表示装置本体１０では、リモコン２０からの相対的な移動量の情報を受けて次にマウスカーソルを表示すべき座標(ｃＸ´，ｃＹ´)を下記のように計算する。
ｃＸ´＝ｃＸ＋（ｄＸ×Ａ）
ｃＹ´＝ｃＹ＋（ｄＹ×Ｂ）
ここでＡ,Ｂはタッチパッド２１上の移動量と表示部１１の表示画面上の移動量との割合を示す定数になる。この例では、表示装置本体１０では、初期座標位置からの移動量を受けて表示部１１の表示座標を決定しているが、この他、タッチパッド２１を備えたリモコン２０から絶対座標を逐次送信して、タッチパッド２１と表示画面とが１対１に対応するように動作させてもよい。
【００４６】
そして、ユーザが最初にタッチした位置が、所定の文字入力開始エリア以外の領域であった場合には、その後、ユーザが指３２をタッチパッド２１から離すことなく移動させて、その途中で文字入力開始エリアにタッチ位置が入ったとしても、ソフトキーボードによる文字入力処理は行わないものとする。
【００４７】
図７は、本発明による表示装置におけるタッチパッドを用いた制御処理の他の例を説明する図で、タッチパッドの所定の文字入力開始エリアにユーザが最初にタッチしたときの処理例を説明するものである。
タッチパッド２１の所定の文字入力開始エリアにユーザが最初にタッチすると、上記のような従来と同様のカーソル処理は行われず、ソフトキーボードの表示による文字入力処理が開始される。
【００４８】
図７（Ａ）に示すように、ユーザが初めに指でタッチした位置の座標を（ｍＸ１，ｍＹ１）とする。その座標がタッチパッド２１の所定の文字入力開始エリア内であれば、以下の座標変換処理を行う。
ここでは、文字入力開始エリア内に最初にタッチした指３２がタッチパッド２１上でスライドし、一定時間後に（ｍＸ２，ｍＹ２）に移動したものとする。この場合、タッチパッド２１を備えたリモコン２０から、最初にタッチした位置の初期座標（ｍＸ１，ｍＹ１）と、その初期座標からの移動後の座標（ｍＸ２，ｍＹ２）が表示装置本体１０に送信される。
【００４９】
図７（Ｂ）に示すように、表示装置本体１０は、タッチパッド２１の左下角の文字入力開始エリアに最初にタッチされていることから、キーボード全体の左側端部を含む一部（例えばキーボード全体の左半分）３３を表示部１１に表示させる。
そして表示装置本体１０では、表示部１１に表示するマウスカーソル３１の座標（ｃＸ’，ｃＹ’）を下記のよう計算する。
ｃＸ’＝ＢＸ＋（ｍＸ２−ｍＸ１）×ＣＸ
ｃＹ’＝ＢＹ＋（ｍＹ２−ｍＹ１）×ＣＹ
ここでＢＸ、ＢＹは、左下角に設定した文字入力開始エリア内にタッチした際の表示画面上のマウスカーソルの表示開始位置を示す定数である。また、ＣＸ、ＣＹはタッチパッド２１のタッチ面と、表示部１１におけるキーボードの一部の表示領域との割合を示す定数である。
【００５０】
そして再度、指を（ｍＸ３，ｍＹ３）へ移動させた場合でも、最初にタッチした位置（ｍＸ１，ｍＹ１）を基準にして、以下の通り表示部１１に表示させるマウスカーソル３１の座標（ＣＸ”、ＣＹ”）の計算を行うものとする。
ＣＸ”＝ＢＸ＋（ｍＸ３−ｍＸ１）×ＣＸ
ＣＹ”＝ＢＹ＋（ｍＹ３−ｍＹ１）×ＣＹ
【００５１】
上記のようにすることで、タッチパッド２１に対するタッチ開始位置の微妙な変化に係わらず、タッチ位置の相対的な移動量のみによって所望のキーを操作することができる。このため、ユーザはリモコン２０の手元を見ることなく感覚的に文字等の入力を行うことが可能になる。
【００５２】
図８は、文字入力開始エリアの他の設定例とそのときの動作例を説明するための図である。上記図３の例では、所定の文字入力開始エリアをタッチパッド２１の左下角と右下角の２カ所に設けた。これに対して本例では、図８（Ａ）に示すように、ほぼ矩形のタッチパッド２１の４角の位置に、文字入力開始エリア３４ａ〜３４ｄを設定する。
【００５３】
そして、本例の場合、左上と右上の２カ所の文字入力開始エリア３４ｃ，３４ｄのいずれかをユーザがタッチした場合、数字および記号入力用のキーボードを表示させる。例えば図８（Ｂ）に示すように、右上の文字入力開始エリア３４ｄをタッチした場合には、数字および記号入力用に用意されたキーボードの右側端部を含む一部（例えばキーボード全体の右半分）３３ｃを表示させ、その一部３４の表示領域にタッチパッド２１のタッチ領域を対応させる。一方、左上の文字入力開始エリア３４ｃをタッチした場合には、数字および記号入力用のキーボードの左側端部を含む一部（例えばキーボード全体の左半分）を表示させ、その左側端部を含む一部の表示領域にタッチパッド２１のタッチ領域を対応させる。
【００５４】
また、左下と右下の２つの文字入力開始エリア３４ａ、３４ｂに対しては、上記図３の例と同様に、文字入力用のキーボードの一部（左側の一部、および右側の一部）をそれぞれタッチしたエリアに応じて表示させるようにする。
つまり、文字入力開始エリア３４ａ，３４ｂと、文字入力開始エリア３４ｃ，３４ｄとのそれぞれは、一つのキー配列をもつキーボードの異なる一部分が関連付けられた文字入力開始エリアのセットを構成する。そして複数の文字入力開始エリアからなるセットが複数設定されている場合、文字入力開始エリアが操作された場合に表示するキーボードは、上記の各セットごとに異なるようになっている。
【００５５】
本例により、文字入力用に用意したキーボードと、数字および記号用に用意したキーボードとを文字入力開始エリアの位置に応じて使い分けることができる。キーボードの種類としてはこれらに限ることなく、例えば英文字の大文字用と小文字用のキーボードを用意して文字入力開始エリアに応じて適宜入力可能に表示させるようにしてもよい。また、文字入力開始エリアの数を更に増やして、３種類以上のキーボードを使い分けるようにしてもよい。
【００５６】
図９は、タッチパッドにおける文字入力開始エリアの更に他の設定例を説明するための図である。本例では、タッチパッド２１上に２カ所の文字入力開始エリアを設定する場合に、タッチパッド２１の左下角部と右上角部の２カ所、またはタッチパッド２１の左上角部と右下角部の２カ所とを切り換え可能に設定している。
ユーザが右手の親指を使用してリモコン２０を操作する場合、タッチパッド２１の右下部周辺に親指の付け根が位置し、その付け根の部分が支点となって親指を動かすことになる。その場合、例えばタッチパッド２１の左下角部と右上角部に文字入力開始エリア３４ａ，３４ｄを設定した方が、入力操作が容易になる。
【００５７】
ここでタッチパッド２１の左下角部と右上角部に文字入力開始エリア３４ａ、３４ｄを設定した場合には、右利きのユーザが利用しやすい。従って、左右いずれの手でも操作ができるように、タッチパッド２１の左下角部と右上角部の２カ所に文字入力開始エリア３４ａ，３４ｄを設定したモードと、タッチパッド左上角部と右下角部に文字入力開始エリア３４ｃ，３４ｂを設定したモードとを切り換え可能に構成する。上記モードの切り換えは、例えばリモコンに備えられたキー２３に対する所定の操作により実行できるようにする。これによりいずれの手を用いて操作した場合にも入力操作を容易にすることができる。
【００５８】
図１０は、タッチパッドに対するキーボードの表示の他の例を説明する図である。
本例の場合、図１０（Ａ）に示すように、タッチパッド２１上の左右の一部に特別な領域３５を設定する。そして例えば、左下角に設定された文字入力開始エリア３４ａにユーザが最初にタッチし、そのまま右端部に設定した特別な領域３５まで指３２をスライドさせたものとする。この場合、図１０（Ｂ）に示すように、ユーザがタッチパッド２１の左下角の文字入力開始エリア３４ａに最初にタッチした時点で、表示装置本体１０の表示部１１にはキーボードの左側端部を含む一部（例えばキーボードの左半分）３３ａが表示される。そして、タッチ位置が特別な領域３５までスライドしたときに、表示部１１に表示されていたソフトキーボードの左側端部を含む一部３３ａを消し、ソフトキーボードの右側端部を含む一部（例えばキーボードの右半分）３３ｂを表示させる。そしてその際、表示部１１に表示させているマウスカーソル３１は、ソフトキーボードの右側端部を含む一部３３ｂの表示領域上に移動させる。
【００５９】
このような制御を行うことで、例えば、ユーザが右下角の文字入力開始エリア３４ｂを最初にタッチするべきところを誤って左下角の文字入力開始エリア３４ａにタッチしてしまい、表示された左側端部を含む一部のソフトキーボード上に所望のキーがなかった場合等において、上記のような特別の領域３５に指をスライドさせる操作を行うことにより、簡単に所望のキーを表示させて操作することができるようになる。
特別な領域３５の位置、大きさ、形状等は、図１０の例に限定されることはなく、例えばタッチパッド２１の左辺側のエリアに設定してもよいし、あるいは右下角等の一部のエリアに設定してもよい。このとき例えば、右下角の文字入力開始エリアと同一の領域として設定してもよい。
【００６０】
図１１は、本発明の表示装置に適用するタッチパッドの他の構成例を説明する図である。
図１１（Ａ）に示すように、タッチパッド２１は、静電容量式等のタッチセンサ２１ａの上にタッチパッドのタッチ面となる外層部２１ｂが重ねられた構成を有している。通常、タッチパッド２１はユーザの指先の腹で押さえることになるため、タッチパッド２１に接触した指先の腹の中心部の座標が検出されることになる。この場合、図１１（Ｂ）に示すように、仮にタッチパッド２１の左上の端を指３２の先で押さえたとしても、検出される座標ｃ１としてはタッチパッド２１の左上の角に相当する（ｘ、ｙ）＝（０，０）ではなく、例えば(３０,３０)等の座標になる。このような座標が検出される場合であっても、所定の文字入力開始エリアを適切に設定することで、文字入力開始エリアがタッチされていることを判定することができるが、この場合（３０，３０）より小さい座標領域のタッチセンサ２１ａは使用されることがなく無駄になってしまう。
【００６１】
従って本例では、図１１（Ｃ）に示すように、タッチセンサ２１ａの大きさをタッチパッドの外層部２１ｂより少し小さくしてタッチパッド２１を構成する。文字入力開始エリア３４は、タッチセンサ２１ａの端部に設けるが、その所定領域よりも外側にシフトした位置に、文字入力開始エリアであることを示す表示を行うようにする。タッチパッドの外層部２１ｂの端部でタッチセンサ２１ａのない領域では、タッチされたことを検出することができないが、ユーザの指が外層部２１ｂの端部を抑えたときには、その指の中心部に対応する位置にタッチセンサ２１ａが存在しているため、文字入力開始領域へのタッチであることを検出することができる。これにより、タッチセンサ２１ａをより効率よく使用できるようになる。また、タッチセンサ２１ａのコストは面積に応じて増減するため、タッチセンサ２１ａを小さくすることでタッチパッド２１のコストを抑えることができる。
【００６２】
また、図１１（Ｄ）に示すように、タッチパッドの外層部２１ｂとタッチセンサ２１ａとを同じ大きさで構成し、文字入力開始エリアを示す領域３５をタッチパッド２１の端部からはみ出した位置に表示してもよい。この場合、タッチパッド２１に設定する文字入力開始エリアは、タッチパッド２１の端部の所定領域とするが、その所定領域よりも外側にシフトした位置に、文字入力開始エリアであることを示す表示を行うようにする。これにより、ユーザがその文字入力開始エリアを指でタッチしたときに、その指先のほぼ中央部分にあるタッチパッド２１の端部の座標を検出することができる。
【符号の説明】
【００６３】
１…表示装置、１０…表示装置本体、１１…表示部、１２…カーソル制御部、１３…ソフトキーボード座標変換部、１４…文字入力開始エリア判定部、１５…ソフトキーボード制御部、１６…受信部、２０…リモコン、２０…表示部、２１…タッチパッド、２１ａ…タッチセンサ、２１ｂ…外層部、２２…タッチ座標検知部、２３…キー、２４…キー検知部、２５…送信部、３１…マウスカーソル、３２…指、３３…キーボード全体の一部、３３ａ…ソフトキーボードの左側端部を含む一部、３３ｂ…、ソフトキーボードの右側端部を含む一部、３４…文字入力開始エリア、３４ａ，３４ｂ，３４ｃ，３４ｄ…文字入力開始エリア、３５…特別な領域。
【図１】
2013131087.tif 000003
【図２】
2013131087.tif 000004
【図３】
2013131087.tif 000005
【図４】
2013131087.tif 000006
【図５】
2013131087.tif 000007
【図６】
2013131087.tif 000008
【図７】
2013131087.tif 000009
【図８】
2013131087.tif 000010
【図９】
2013131087.tif 000011
【図１０】
2013131087.tif 000012
【図１１】
2013131087.tif 000013